(57)【特許請求の範囲】
【請求項１】
モバイル端末によって、充電対象のバッテリに対応する仕様パラメータを検出するステップであって、前記モバイル端末によって、前記充電対象のバッテリと前記モバイル端末との少なくとも1つの接触点のそれぞれの電気的レベルを取得し、前記それぞれの電気的レベルに基づいて前記充電対象のバッテリに対応する前記仕様パラメータを検出するステップと、
前記仕様パラメータの検出が失敗した場合、前記モバイル端末によって、前記充電対象のバッテリの電圧値に基づいて前記仕様パラメータを検出するステップと、
前記モバイル端末によって、前記仕様パラメータに対応する充電パラメータを、前記検出された仕様パラメータに従って設定するステップと、
前記モバイル端末によって、前記充電対象のバッテリを、前記設定された充電パラメータに従って充電するステップと
を含む、バッテリ充電方法。
【請求項２】
前記バッテリに対応する前記仕様パラメータが、バッテリ容量および充電制限電圧を含み、
前記モバイル端末によって、前記充電対象のバッテリに対応する前記仕様パラメータを検出する前記ステップが、前記モバイル端末によって、前記充電対象のバッテリのバッテリ容量および/または充電制限電圧を検出するステップを含み、
前記モバイル端末によって、前記仕様パラメータに対応する前記充電パラメータを、前記検出された仕様パラメータに従って設定する前記ステップが、前記モバイル端末によって、前記バッテリ容量および/または充電制限電圧に対応する前記充電パラメータを、前記検出されたバッテリ容量および/または充電制限電圧に従って設定するステップを含む、請求項1に記載の方法。
【請求項３】
前記仕様パラメータを検出するステップは、
前記モバイル端末によって、単位時間内のあらかじめ設定された電流下の前記バッテリの電圧昇圧の勾配を計算するステップであって、前記電圧昇圧の前記勾配が、前記単位時間内の前記あらかじめ設定された電流下の前記バッテリの前記電圧昇圧を前記単位時間で割った数値に等しいステップと、
前記モバイル端末によって、前記バッテリに対応する前記仕様パラメータを、前記電圧昇圧の前記勾配、および前記モバイル端末にあらかじめ保存された電圧勾配間隔表における電圧昇圧の勾配とバッテリ仕様パラメータとの対応関係に従って検出するステップであって、前記電圧勾配間隔表が、様々なバッテリ仕様パラメータに対応する電圧昇圧の勾配間隔を含むステップと、
を含む、請求項1または2に記載の方法。
【請求項４】
前記仕様パラメータを検出するステップは、前記モバイル端末によって、前記バッテリに対応する前記仕様パラメータを、前記電圧値、および前記モバイル端末にあらかじめ保存された電圧表における電圧値とバッテリ仕様パラメータとの対応関係に従って検出するステップを含む、請求項3に記載の方法。
【請求項５】
前記充電対象のバッテリに対応する前記仕様パラメータを検出する前記ステップの前に、前記方法が、
仕様パラメータと充電パラメータとの対応関係を前記モバイル端末に保存するステップをさらに含み、
前記モバイル端末によって、前記仕様パラメータに対応する前記充電パラメータを、前記検出された仕様パラメータに従って設定する前記ステップが、
前記モバイル端末によって、前記仕様パラメータに対応する前記充電パラメータを、前記検出された仕様パラメータ、および仕様パラメータと充電パラメータとの前記保存された対応関係に従って設定するステップを特に含む、請求項1から4のいずれか一項に記載の方法。
【請求項６】
充電対象のバッテリとモバイル端末との少なくとも1つの接触点のそれぞれの電気的レベルを取得するように構成された取得ユニットと、前記それぞれの電気的レベルによって、前記充電対象のバッテリに対応する仕様パラメータを検出するように構成された検出ユニットとを含む検出器であって、前記検出ユニットによる前記仕様パラメータの検出が失敗した場合、前記検出器は、前記充電対象のバッテリの電圧値に基づいて前記仕様パラメータを検出するようにさらに構成される検出器と、
前記仕様パラメータに対応する充電パラメータを、前記検出器によって検出された前記仕様パラメータに従って設定するように構成された充電パラメータ設定器と、
前記充電パラメータ設定器によって設定された前記充電パラメータに従って、前記充電対象のバッテリを充電するように構成された充電器と
を備えるモバイル端末。
【請求項７】
前記バッテリに対応する前記仕様パラメータが、バッテリ容量および充電制限電圧を含み、
前記検出器が、前記充電対象のバッテリの前記バッテリ容量および/または充電制限電圧を検出するように構成され、
前記充電パラメータ設定器が、前記バッテリ容量および/または充電制限電圧に対応する前記充電パラメータを、前記検出されたバッテリ容量および/または充電制限電圧に従って設定するように構成された、請求項6に記載のモバイル端末。
【請求項８】
前記検出器が、
単位時間内のあらかじめ設定された電流下の前記バッテリの電圧昇圧の勾配であって、前記電圧昇圧の前記勾配が、前記単位時間内の前記あらかじめ設定された電流下の前記バッテリの前記電圧昇圧を前記単位時間で割った数値に等しい勾配を計算し、
前記バッテリに対応する前記仕様パラメータを、前記電圧昇圧の前記勾配、および前記モバイル端末にあらかじめ保存された電圧勾配間隔表における電圧昇圧の勾配とバッテリ仕様パラメータとの対応関係に従って検出し、前記電圧勾配間隔表が、様々なバッテリ仕様パラメータに対応する電圧昇圧の勾配間隔を含むように構成された、請求項6または7に記載のモバイル端末。
【請求項９】
前記検出器が、前記バッテリに対応する前記仕様パラメータを、前記電圧値、および前記モバイル端末にあらかじめ保存された電圧表における電圧値とバッテリ仕様パラメータとの対応関係に従って検出するように構成された、請求項8に記載のモバイル端末。
【請求項１０】
前記モバイル端末が、
前記バッテリに対応する前記仕様パラメータが検出される前に仕様パラメータと充電パラメータとの対応関係を前記モバイル端末に保存するように構成された、メモリをさらに備え、
前記充電パラメータ設定器が、
前記仕様パラメータに対応する前記充電パラメータを、前記検出器によって検出された前記仕様パラメータ、および仕様パラメータと充電パラメータとの前記保存された対応関係に従って設定するように構成された、請求項6から9のいずれか一項に記載のモバイル端末。
【請求項１１】
コンピュータユニットによって実行されると、前記コンピュータユニットが請求項1から5のすべての前記ステップを実施することになる、コンピュータプログラムコードを含むコンピュータプログラム。
【発明の詳細な説明】
【技術分野】
【０００１】
本発明は、エレクトロニクス技術分野に関し、詳細には、バッテリ充電方法およびモバイル端末に関する。
【背景技術】
【０００２】
現在、ユーザによるモバイル端末の待ち受け時間および大きさに関する要件は、ますます高度になっている。モバイル端末の待ち受け時間および大きさに関するユーザの要件を満たすため、モバイル端末に、異なる容量を有する複数のバッテリが備わっている場合があり、または2つのバッテリが、予備の目的でモバイル端末の本体に直接配列されており、そのためユーザが実際の要件に従って選択を行う。
【０００３】
しかし、従来のソフトウェアによる解決策によると、バッテリが充電されるとき、バッテリの充電パラメータをバッテリの最低容量に基づいて設定して、充電中の安全確保および被害防止を実現する。したがって、大容量のバッテリが充電されるとき、バッテリの充電パラメータがバッテリの最低容量に基づいて設定されるので、充電時間が非常に長くなり、ユーザエクスペリエンスに悪影響を与える。
【発明の概要】
【課題を解決するための手段】
【０００４】
本発明の実施形態がバッテリ充電方法およびモバイル端末を提供し、そこでは、安全を確保しながらバッテリ仕様パラメータによる適応型高速充電を実施することができ、それにより、充電時間を短縮し、ユーザエクスペリエンスを向上させる。
【０００５】
上記の目的を達成するため、本発明の実施形態は、以下の技術的な解決策を採用する。
【０００６】
本発明の一態様により、バッテリ充電方法が提供される。この方法は、
モバイル端末によって、充電対象のバッテリの仕様パラメータを決定すること、
モバイル端末によって、仕様パラメータに対応する充電パラメータを、決定された仕様パラメータに従って決定すること、および
モバイル端末によって、充電対象のバッテリを、決定された充電パラメータに従って充電することを含む。
【０００７】
本発明の別の態様により、モバイル端末が提供される。モバイル端末は、
充電対象のバッテリの仕様パラメータを決定するように構成された検出器と、
仕様パラメータに対応する充電パラメータを、検出器によって決定された仕様パラメータに従って決定するように構成された決定器と、
決定器によって決定された充電パラメータに従って、充電対象のバッテリを充電するように構成された充電器とを備える。
【０００８】
前述の技術的な解決策では、本発明の実施形態によって提供される、バッテリ充電方法およびモバイル端末を使用することにより、バッテリの仕様パラメータが最初に決定され、次いで対応する充電パラメータが、決定された仕様パラメータに従って決定され、その結果、充電パラメータが、バッテリの仕様パラメータに従って、動的に変更される。充電時間はバッテリの充電パラメータに応じて変化するので、バッテリ仕様パラメータが変更されると、充電パラメータが変更され、それに応じて充電時間が変更される。どのような仕様のバッテリに対しても統一の充電パラメータが使用される従来技術に比べて、本発明の実施形態は、充電パラメータを、バッテリ仕様パラメータに従って、例えば、小容量バッテリの場合、小容量バッテリ専用の充電パラメータを使用して、また大容量バッテリの場合、大容量バッテリ専用の充電パラメータを使用して、動的に調整することができる。このように、安全を確保することができるとともに、バッテリ、特に大容量バッテリ向けに高速充電を実施することができる。明らかに、本発明の実施形態は、安全を確保しながら仕様パラメータによる適応型高速充電を実施することができ、それにより、充電時間を短縮し、ユーザエクスペリエンスを向上させる。
【０００９】
本発明の実施形態における技術的な解決策をより明確に説明するために、実施形態の説明に必要な添付図面を以下に簡単に紹介する。以下に記載する添付図面は、本発明のいくつかの実施形態を示すにすぎず、当業者なら、創造的な努力をすることなく、添付図面から他の図面を得ることができるであろう。
【図面の簡単な説明】
【００１０】
【図１Ａ】本発明の一実施形態による、バッテリ充電方法の流れ図である。
【図１Ｂ】本発明の一実施形態による、後部カバーの接触点設計の概略図である。
【図１Ｃ】本発明の一実施形態による、回路基板のハードウェア設計の概略図である。
【図２】本発明の一実施形態による、バッテリ充電方法の特定の流れ図である。
【図３】本発明の一実施形態による、バッテリ充電方法の特定の流れ図である。
【図４Ａ】本発明の一実施形態による、モバイル端末の構造ブロック図である。
【図４Ｂ】本発明の一実施形態による、モバイル端末の別の構造ブロック図である。
【図４Ｃ】本発明の一実施形態による、モバイル端末の決定器の構造ブロック図である。
【発明を実施するための形態】
【００１１】
本発明の実施形態における技術的な解決策について、以下、本発明の実施形態の添付図面を参照して明確で十分に説明する。説明する実施形態は、明らかであろうが、本発明の実施形態の一部であってすべてではない。当業者が本発明の実施形態に基づいて、創造的な努力をすることなく得る他のすべての実施形態は、本発明の保護範囲に含まれるものとする。
【００１２】
図1Aは、本発明の一実施形態による、バッテリ充電方法の流れ図である。
【００１３】
本発明の一実施形態は、バッテリ充電方法を提供する。図1Aに示すように、この方法は、以下を含む。
【００１４】
11.  モバイル端末が、充電対象のバッテリの仕様パラメータを決定する。
【００１５】
バッテリの仕様パラメータには、バッテリ容量および充電制限電圧が含まれうる。モバイル端末によって、充電対象のバッテリの仕様パラメータを決定することには、モバイル端末によって、充電対象のバッテリのバッテリ容量および/または充電制限電圧を決定することが含まれうる。
【００１６】
12.  モバイル端末が、仕様パラメータに対応する充電パラメータを、決定された仕様パラメータに従って決定する。
【００１７】
具体的には、モバイル端末によって、仕様パラメータに対応する充電パラメータを、決定された仕様パラメータに従って決定することには、モバイル端末によって、バッテリ容量および/または充電制限電圧に対応する充電パラメータを、決定されたバッテリ容量および/または充電制限電圧に従って決定することが含まれうる。
【００１８】
例えば、バッテリ容量および/または充電制限電圧と充電パラメータとの対応関係が設定されうる。対応関係は、1対1の対応関係でもよく、複数のバッテリ容量および/または充電制限電圧と1群の充電パラメータとの対応関係でもよい。このように、バッテリ容量および/または充電制限電圧が決定された後、対応する充電パラメータが決定されうる。
【００１９】
したがって、代替方法として、この方法は、
仕様パラメータと充電パラメータとの対応関係を保存することをさらに含みうる。
【００２０】
この場合、ステップ12では、モバイル端末によって、仕様パラメータに対応する充電パラメータを、決定された仕様パラメータに従って決定することは、具体的には、以下のことを含みうる。
【００２１】
すなわち、モバイル端末によって、仕様パラメータに対応する充電パラメータを、決定された仕様パラメータ、および仕様パラメータと充電パラメータとの保存された対応関係に従って決定することである。
【００２２】
本発明の実施形態では、「充電パラメータ」には、充電の各ステージにおける電流の強さ、充電終止電圧、および各ステージにおける保護のための制限時間が含まれる。
【００２３】
本発明の実施形態では、バッテリ仕様パラメータが変更されると、変更されたバッテリ仕様パラメータに対応する充電パラメータが、変更されたバッテリ仕様パラメータに従って決定されうる。したがって、どのような仕様のバッテリに対しても同じ充電パラメータが使用される従来技術に比べて、本発明の実施形態は、充電パラメータを、バッテリ仕様パラメータに従って、動的に変更することができる。
【００２４】
13.  モバイル端末が、充電対象のバッテリを、決定された充電パラメータに従って充電する。
【００２５】
バッテリが充電される前に、バッテリに対応する充電パラメータが決定される必要がある。充電パラメータが決定された後、対応する充電プロセスが、充電パラメータに従って実施されうる。
【００２６】
本発明の実施形態では、バッテリの仕様パラメータが最初に決定され、次いで対応する充電パラメータが、決定された仕様パラメータに従って決定され、その結果、充電パラメータが、仕様パラメータに従って、動的に変更される。充電時間はバッテリの充電パラメータに応じて変化するので、バッテリ仕様パラメータが変更されると、充電パラメータが変更され、それに応じて充電時間が変更される。どのような仕様のバッテリに対しても統一の充電パラメータが使用される従来技術に比べて、本発明の実施形態は、充電パラメータを、仕様パラメータに従って、例えば、小容量バッテリの場合、小容量バッテリ専用の充電パラメータを使用して、また大容量バッテリの場合、大容量バッテリ専用の充電パラメータを使用して、動的に調整することができる。このように、安全を確保することができるとともに、バッテリ、特に大容量バッテリ向けに高速充電を実施することができる。明らかに、本発明の実施形態は、安全を確保しながら仕様パラメータによる適応型高速充電を実施することができ、それにより、充電時間を短縮し、ユーザエクスペリエンスを向上させる。
【００２７】
以下にさらなる詳細を説明する。
【００２８】
具体的には、本発明の実施形態では、仕様パラメータは、2つの方法、すなわち接触点識別法およびパラメータ法を使用することにより、決定されうる。2つの方法について、以下に説明する。
【００２９】
1.  接触点識別法
【００３０】
この方法では、既に実装されている、接触点および弾性金属機構に基づいて、バッテリ信号の真理値表を識別できる接触点が加えられる。メインボードの真理値表の識別は、モバイル端末の後部カバー上の接触点によって起動され(無線周波数の真理値表での周波数帯の識別に類似)、その結果、充電器によって許可された範囲で、取り付けられたバッテリのそれぞれの仕様パラメータに従って別々の充電パラメータが実行される。
【００３１】
接触点識別法が使用されるとき、ステップ11における、充電対象のバッテリの仕様パラメータを決定することは、以下のことを含みうる。すなわち、
アナログ/デジタルサンプリングによって、モバイル端末の回路基板上のサンプリングポイントのレベル値の組合せを取得することであって、そこでは、レベル値の組合せが、サンプリングポイントの組み合わせられたレベル値を指し、例えば、第1のサンプリングポイントのレベル値が1であり、第2のサンプリングポイントのレベル値および第3のポイントのレベル値が共に0である場合、回路基板上のサンプリングポイントのレベル値の組合せは1＼0＼0である。
【００３２】
充電対象のバッテリの仕様パラメータは、レベル値の取得された組合せ、およびあらかじめ保存されたサンプルレベル真理値表におけるレベル値組合せとバッテリ仕様パラメータとの対応関係に従って決定される。
【００３３】
具体的には、サンプルレベル値の組合せを、あらかじめ保存されたサンプルレベル真理値表で検索することができ、サンプルレベル値の組合せが見つかった後で、バッテリの仕様パラメータが、サンプルレベル真理値表で、レベル値組合せと仕様パラメータとの対応関係に従って決定される。
【００３４】
従来技術では、バッテリが充電されるとき、バッテリの仕様パラメータはあらかじめ検出されず、どのような容量のバッテリもあらかじめ設定された充電パラメータに従って充電され、さらにバッテリ仕様パラメータが変更されるとき、充電パラメータは変更されないので、充電時間が非常に長くなる場合がある。本発明の実施形態では、仕様パラメータが最初に決定されて、異なる仕様パラメータを備えたバッテリの場合、その仕様パラメータを備えたバッテリの充電に最も適した充電パラメータが採用され、その結果、充電時間が短縮されるとともに安全が確保される。
【００３５】
あるいは、アナログ/デジタルサンプリングによって、モバイル端末の回路基板上のサンプリングポイントのレベル値の組合せを取得することは、以下のことを含みうる。すなわち、
回路基板上のアナログ/デジタルサンプリングポイントに対応するレベル値を取得するために回路基板上のアナログ/デジタルサンプリングポイントのレベルを検出することであって、そこでは、回路基板が、少なくとも1つの接合点(weld)が電源に接続された状態で構成され、モバイル端末の後部カバーが、接触点が少なくとも1つの接合点に対応した状態で構成され、回路基板上のアナログ/デジタルサンプリングポイントのそれぞれの接合点がモバイル端末の後部カバー上の対応する接触点を介して接続されているとき、レベル値が高レベル1であり、回路基板上のアナログ/デジタルサンプリングポイントのそれぞれの接合点がモバイル端末の後部カバー上の対応する接触点を介して接続されていないとき、レベル値が低レベル0であり、さらに
回路基板上のサンプリングポイントのレベル値の組合せを、検出によって取得されたレベル値に従って取得することである。
【００３６】
もちろん、接触点識別法を使用してバッテリの仕様パラメータを決定する場合、代替方法として、バッテリの仕様パラメータを決定する前に、この方法は、
あらかじめ設定されたサンプルレベル真理値表を保存することをさらに含むことができ、そこでは、サンプルレベル真理値表が、バッテリ仕様パラメータに対応するサンプルレベル値組合せを含む。
【００３７】
サンプルレベル真理値表は、モバイル端末が工場から出荷される前に、モバイル端末に焼き付けることができる。異なるモバイル端末の場合、サンプルレベル真理値表は異なっている場合がある。共通利用を促進するため、異なる製造会社であっても、統一のサンプルレベル真理値表を採用することが好ましいであろう。
【００３８】
接触点識別法について、図1Bおよび図1Cを参照して、以下、詳細に説明する。図1Bに示すように、後部カバーの接触点設計におけるD＼E＼Fはそれぞれ、任意選択の接合点向けの金属接触点を表す。図1Cに示すように、ハードウェアの回路基板が、6つの金属接合点A＼B＼CおよびG＼H＼Iで構成されている。3つの金属接合点A＼B＼Cはそれぞれ、正極に接続されている。3つの金属接合点G＼H＼Iはそれぞれ、グランド側に接続されている。金属接合点AおよびGは、接触点Dに対応する。金属接合点BおよびHは、接触点Eに対応する。金属接合点CおよびIは、接触点Fに対応する。通常、後部カバーが離れているか、後部カバーの接触点の位置に使用可能な金属接触点がないとき、サンプリングポイントAD_A、AD_B、およびAD_Cは、すべてグランド接続されており、またアナログ/デジタル(AD)サンプリングによって取得されたレベル値は、すべて低レベル0である。D＼E＼Fのうちの少なくとも1つの接触点が後部カバーに加えられてその後部カバーが取り付けられると、対応するサンプリングポイントが接続され、アナログ/デジタルサンプリングポイントのレベルが変更される。
【００３９】
例えば、サンプルレベル真理値表は、Table 1(表1)に示されるようにしてもよい。
【００４０】
【表１】
0005713301.tif 000002
【００４１】
異なるバッテリが使用されると、後部カバー上の接触点D＼E＼Fを確保することにより、回路基板上のサンプルレベルの変更が起動される。組み込まれた仕様パラメータが、サンプルレベルによって形成されたサンプルレベル真理値表に従って特定されうる。ソフトウェアプロセスで、保存された仕様パラメータに対応する充電パラメータを使用することによって充電が実施される。
【００４２】
もちろん、本発明の実施形態では、パラメータ法もまた、仕様パラメータを決定するために使用される。詳細を以下に説明する。
【００４３】
2.  パラメータ法
【００４４】
この方法では、モバイル端末が最初に、充電対象のバッテリの仕様表示パラメータを決定し、そこでは、仕様表示パラメータを使用してバッテリの仕様パラメータを示し、次いでモバイル端末が、仕様表示パラメータ、およびあらかじめ保存された仕様表示パラメータ表における仕様表示パラメータとバッテリ仕様パラメータとの対応関係に従って、バッテリの仕様パラメータを決定する。
【００４５】
仕様表示パラメータは、単位時間内のあらかじめ設定された電流下のバッテリの電圧昇圧の勾配、または特定の瞬間におけるバッテリの電圧値でありうる。
【００４６】
以下の説明では、仕様表示パラメータは、単位時間内のあらかじめ設定された電流下のバッテリの電圧昇圧の勾配であると仮定されている。
【００４７】
定電流が充電に使用されるとき、異なる仕様パラメータを有するバッテリは、大抵の電圧間隔では単位時間内の異なる電圧昇圧を有する。したがって、この方法を使用して電圧昇圧の勾配を計算することにより、仕様パラメータが決定されうる。
【００４８】
この方法が使用されるとき、モバイル端末によって、バッテリの仕様パラメータを、仕様表示パラメータ、およびあらかじめ保存された仕様表示パラメータ表における仕様表示パラメータとバッテリ仕様パラメータとの対応関係に従って決定することは、以下のことを含みうる。すなわち、
モバイル端末によって、バッテリの仕様パラメータを、電圧昇圧の勾配、およびあらかじめ保存された電圧勾配間隔表における電圧昇圧の勾配とバッテリ仕様パラメータとの対応関係に従って決定することであって、そこでは、電圧勾配間隔表が、様々なバッテリ仕様パラメータに対応する電圧昇圧の勾配間隔を含む。
【００４９】
具体的には、例えば、モバイル端末は最初に、単位時間内のあらかじめ設定された電流下のバッテリの電圧昇圧の勾配を決定することができる。電圧昇圧の勾配は、単位時間内のあらかじめ設定された電流下のバッテリの電圧昇圧を単位時間で割った数値に等しい。あらかじめ設定された電流は定電流であることが好ましい。次いで、電圧昇圧の勾配が、あらかじめ保存された電圧勾配間隔表で検索され、バッテリの仕様パラメータが決定される。すなわち、単位時間内のあらかじめ設定された電流下のバッテリの電圧昇圧の勾配が決定された後、あらかじめ保存された電圧勾配間隔表における、勾配が区分される特定の勾配間隔が決定され、次いで、対応するバッテリ仕様パラメータが、勾配間隔とバッテリ仕様パラメータとの対応関係に従って決定される。
【００５０】
従来技術では、バッテリが充電されるとき、バッテリの仕様パラメータはあらかじめ検出されず、どのような仕様パラメータを有するバッテリもあらかじめ設定された充電パラメータに従って充電され、さらに仕様パラメータが変更されるとき、充電パラメータは変更されないので、充電時間が長くなりすぎる場合がある。本発明の実施形態では、仕様パラメータが最初に決定されて、異なる仕様パラメータを備えたバッテリの場合、その仕様パラメータを備えたバッテリの充電に最も適した充電パラメータが採用され、その結果、充電時間が短縮されるとともに安全が確保される。
【００５１】
電源切断充電状態では、モバイル端末は、無線周波数ユニットまたは他のユニットからのいかなる影響も受けることなく、決定を行うことができる。この場合、回路基板上で消費される電流は一定であり、バッテリに供給される単位時間内の電力は基本的に固定している。したがって、電源切断充電状態におけるバッテリの勾配の決定から得られる結果は、他の状態で得られる結果よりも正確である。したがって、代替方法として、単位時間内の定電流下のバッテリの電圧昇圧の勾配を決定することは、具体的には、
バッテリが電源切断充電状態であるときに、単位時間内の定電流下のバッテリの電圧昇圧の勾配を決定することを含みうる。
【００５２】
具体的には、キーの組合せ(強制的なアップグレードモードにおけるキーの組合せに類似)、ウェブのバックグラウンドなどを使用して、システムが電源切断充電モードに入るようにすることができる。
【００５３】
さらに、パラメータ法を使用してバッテリの仕様パラメータを決定する場合、代替方法として、バッテリの仕様パラメータを決定する前に、この方法は、
あらかじめ設定された電圧勾配間隔表を保存することをさらに含むことができ、そこでは、電圧勾配間隔表が、異なる容量のバッテリに対応する電圧昇圧の勾配間隔を含む。
【００５４】
バッテリ仕様パラメータは、バッテリ容量と仮定される。主流のバッテリの容量は一般に1000mAhから4500mAhである。例えば、バッテリ容量の場合、500mAhの間隔が、勾配間隔に対応するように設定可能であり、すなわち、ある勾配間隔に対応するように1000mAhが設定され、別の勾配間隔に対応するように1500mAhが設定されるなどであり、そこでは、各勾配間隔の範囲を実験データを使用することで取得することができる。もちろん、バッテリ容量は、他のより小さい間隔またはより大きい間隔も採用することができる。
【００５５】
前述の説明は、仕様表示パラメータが単位時間内のあらかじめ設定された電流下のバッテリの電圧昇圧の勾配であるという例のみに基づいて提示されていることに留意されたい。もちろん、当業者であれば、仕様表示パラメータは、例えば、特定の瞬間におけるバッテリの電圧値などの他の数値であってもよいことを容易に理解されよう。
【００５６】
仕様表示パラメータが特定の瞬間におけるバッテリの電圧値であるとき、モバイル端末によって、バッテリの仕様パラメータを、仕様表示パラメータ、およびあらかじめ保存された仕様表示パラメータ表における仕様表示パラメータとバッテリ仕様パラメータとの対応関係に従って決定することは、
モバイル端末によって、バッテリの仕様パラメータを、電圧値、およびあらかじめ保存された電圧表における電圧値とバッテリ仕様パラメータとの対応関係に従って決定することを含みうる。
【００５７】
具体的には、例えば、電圧表をあらかじめ保存することができ、そこでは、その電圧表が、実験または他の手段によって取得した電圧値と仕様パラメータとの対応関係を含む。特定の瞬間におけるバッテリの電圧値を取得した後、その電圧値を電圧表に保存された電圧値と比較することによって、バッテリの仕様パラメータがさらに決定されうる。
【００５８】
本発明の実施形態は、仕様パラメータを決定するために、パラメータ法と接触点識別法のいずれも採用しうることに特に留意されたい。もちろん、2つの方法は、共にモバイル端末に統合することができ、仕様パラメータが要件に従って決定される。例えば、これらの方法の使用では、接触点識別法を最初に使用することができ、さらに接触点識別法が失敗したときまたはそのチェックが必要であるとき、パラメータ法が使用される。もちろん、当業者によって容易に考えられる他の方法もまた使用されうる。
【００５９】
本発明の実施形態によって提供されるバッテリ充電方法は、充電時間を短縮できるだけでなく、開発者はプログラミング段階で、異なる容量のバッテリに適用可能な1組の共通ソフトウェアコードさえ設計すればよいので、開発者の作業量を大幅に削減することもできることにも留意されたい。一方で従来技術では、異なる仕様パラメータ(例えば、容量)を有するバッテリには、別々のソフトウェアコードを開発する必要がある。さらに、バッテリが充電される前にバッテリ仕様パラメータが決定されるので、使用に当たり、異なる仕様パラメータを有するバッテリを取替え用の標準付属品として使用でき、またユーザが用意するバッテリであっても使用することができる。
【００６０】
本発明の実施形態によって提供されるバッテリ充電方法の技術的な解決策をよりよく理解するために、発明を実施するための形態を、2つの例示的実施形態を参照してさらに示す。2つの実施形態では、バッテリの仕様パラメータはバッテリ容量である。
【００６１】
本発明の一実施形態は、バッテリ充電方法を提供する。図2に示すように、この方法は、以下を含む。
【００６２】
21.  あらかじめ設定されたサンプルレベル真理値表を保存し、そこでは、サンプルレベル真理値表が、異なる容量のバッテリに対応するサンプルレベル値組合せを含む。
【００６３】
22.  バッテリ容量と充電パラメータとの対応関係を確立する。
【００６４】
23.  回路基板上のアナログ/デジタルサンプリングポイントに対応するレベル値を取得するために回路基板上のアナログ/デジタルサンプリングポイントのレベルを検出し、そこでは、回路基板が、少なくとも1つの接合点が電源に接続された状態で構成され、モバイル端末の後部カバーが、接触点が少なくとも1つの接合点に対応した状態で構成され、回路基板上のアナログ/デジタルサンプリングポイントのそれぞれの接合点がモバイル端末の後部カバー上の対応する接触点を介して接続されているとき、レベル値が高レベル1であり、回路基板上のアナログ/デジタルサンプリングポイントのそれぞれの接合点がモバイル端末の後部カバー上の対応する接触点を介して接続されていないとき、レベル値が低レベル0である。
【００６５】
24.  回路基板上のサンプリングポイントのレベル値の組合せを、検出によって取得されたレベル値に従って取得する。
【００６６】
25.  保存されたサンプルレベル真理値表でレベル値の組合せを検索し、バッテリのバッテリ容量を決定する。
【００６７】
26.  決定されたバッテリ容量、およびバッテリ容量と充電パラメータとの確立された対応関係に従って、バッテリ容量に対応する充電パラメータを決定する。
【００６８】
27.  決定された充電パラメータに従って、充電を実施する。
【００６９】
この実施形態によって提供されるバッテリ充電方法を使用することにより、バッテリのバッテリ容量が最初に決定され、次いで対応する充電パラメータが、決定されたバッテリ容量に従って決定され、その結果、充電パラメータが、バッテリ容量に従って、動的に変更される。充電時間はバッテリの充電パラメータに応じて変化するので、バッテリ容量が変更されると、充電パラメータが変更され、それに応じて充電時間が変更される。どのような容量のバッテリに対しても統一の充電パラメータが使用される従来技術に比べて、本発明の実施形態は、充電パラメータを、バッテリ容量に従って、例えば、小容量バッテリの場合、小容量バッテリ専用の充電パラメータを使用して、また大容量バッテリの場合、大容量バッテリ専用の充電パラメータを使用して、動的に調整することができる。このように、安全を確保することができるとともに、バッテリ、特に大容量バッテリ向けに高速充電を実施することができる。明らかに、本発明の実施形態は、安全を確保しながらバッテリ容量による適応型高速充電を実施することができ、それにより、充電時間を短縮し、ユーザエクスペリエンスを向上させる。別の態様では、使用に当たり、異なる容量を有するバッテリを取替え用の標準付属品として使用でき、またユーザが用意するバッテリであっても使用することができる。
【００７０】
本発明の別の実施形態は、バッテリ充電方法を提供する。図3に示すように、この方法は、以下を含む。
【００７１】
31.  あらかじめ設定された電圧勾配間隔表を保存し、そこでは、電圧勾配間隔表が、異なる容量のバッテリに対応する電圧昇圧の勾配間隔を含む。
【００７２】
32.  バッテリ容量と充電パラメータとの対応関係を確立する。
【００７３】
33.  バッテリが電源切断充電状態であるときに、単位時間内の定電流下のバッテリの電圧昇圧の勾配を決定し、そこでは、電圧昇圧の勾配が、単位時間内の定電流下のバッテリの電圧昇圧を単位時間で割った数値に等しい。
【００７４】
34.  あらかじめ保存された電圧勾配間隔表で電圧昇圧の勾配を検索し、バッテリのバッテリ容量を決定する。
【００７５】
35.  決定されたバッテリ容量、およびバッテリ容量と充電パラメータとの確立された対応関係に従って、バッテリ容量に対応する充電パラメータを決定する。
【００７６】
36.  決定された充電パラメータに従って、充電を実施する。
【００７７】
この実施形態によって提供されるバッテリ充電方法において、バッテリのバッテリ容量が最初に決定され、次いで対応する充電パラメータが、決定されたバッテリ容量に従って決定され、その結果、充電パラメータが、バッテリ容量に従って、動的に変更される。充電時間はバッテリの充電パラメータに応じて変化するので、バッテリ容量が変更されると、充電パラメータが変更され、それに応じて充電時間が変更される。どのような容量のバッテリに対しても統一の充電パラメータが使用される従来技術に比べて、本発明の実施形態は、充電パラメータを、バッテリ容量に従って、例えば、小容量バッテリの場合、小容量バッテリ専用の充電パラメータを使用して、また大容量バッテリの場合、大容量バッテリ専用の充電パラメータを使用して、動的に調整することができる。このように、安全を確保することができるとともに、バッテリ、特に大容量バッテリ向けに高速充電を実施することができる。明らかに、本発明の実施形態は、安全を確保しながらバッテリ容量による適応型高速充電を実施することができ、それにより、充電時間を短縮し、ユーザエクスペリエンスを向上させる。別の態様では、使用に当たり、異なる容量を有するバッテリを取替え用の標準付属品として使用でき、またユーザが用意するバッテリであっても使用することができる。
【００７８】
これに対応して、本発明の一実施形態は、モバイル端末40を提供する。図4Aに示すように、モバイル端末40は、以下を備えている。
充電対象のバッテリの仕様パラメータを決定するように構成された検出器41。あるいは、バッテリの仕様パラメータにはバッテリ容量および充電制限電圧が含まれ、検出器41は、充電対象のバッテリのバッテリ容量および/または充電制限電圧を決定するように構成される。
仕様パラメータに対応する充電パラメータを、検出器41によって決定された仕様パラメータに従って決定するように構成された決定器42。決定器は、バッテリ容量および/または充電制限電圧に対応する充電パラメータを、決定されたバッテリ容量および/または充電制限電圧に従って決定するように構成されうる。
決定器によって決定された充電パラメータに従って、バッテリを充電するように構成された充電器43。
【００７９】
本発明の実施形態では、バッテリの仕様パラメータが最初に決定され、次いで対応する充電パラメータが、決定されたバッテリ仕様パラメータに従って決定され、その結果、充電パラメータが、バッテリ仕様パラメータに従って、動的に変更される。充電時間はバッテリの充電パラメータに応じて変化するので、バッテリ仕様パラメータが変更されると、充電パラメータが変更され、それに応じて充電時間が変更される。どのような仕様パラメータを有するバッテリに対しても統一の充電パラメータが使用される従来技術に比べて、本発明の実施形態は、充電パラメータを、バッテリ仕様パラメータに従って、例えば、小容量バッテリの場合、小容量バッテリ専用の充電パラメータを使用して、また大容量バッテリの場合、大容量バッテリ専用の充電パラメータを使用して、動的に調整することができる。このように、安全を確保することができるとともに、バッテリ、特に大容量バッテリ向けに高速充電を実施することができる。明らかに、本発明の実施形態は、安全を確保しながら仕様パラメータによる適応型高速充電を実施することができ、それにより、充電時間を短縮し、ユーザエクスペリエンスを向上させる。
【００８０】
さらに、図4Bに示すように、モバイル端末40は、
検出器41が充電対象のバッテリの仕様パラメータを決定する前にバッテリ仕様パラメータと充電パラメータとの対応関係を保存するように構成されたメモリ44を備えている。
【００８１】
決定器42は、具体的には、
仕様パラメータに対応する充電パラメータを、検出器41によって決定された仕様パラメータ、およびバッテリ仕様パラメータと充電パラメータとの保存された対応関係に従って決定するように構成される。
【００８２】
あるいは、図4Cに示すように、検出器41は、
アナログ/デジタルサンプリングによって、モバイル端末の回路基板上のサンプリングポイントのレベル値の組合せを取得するように構成された取得ユニット411と、
バッテリの仕様パラメータを、レベル値の取得された組合せ、およびあらかじめ保存されたサンプルレベル真理値表におけるレベル値組合せとバッテリ仕様パラメータとの対応関係に従って決定するように構成された決定ユニット412とを備えることができる。
【００８３】
あるいは、モバイル端末の回路基板が、少なくとも1つの接合点が電源に接続された状態で構成され、モバイル端末の後部カバーが、接触点が少なくとも1つの接合点に対応した状態で構成され、取得ユニット411が、具体的には、
回路基板上のアナログ/デジタルサンプリングポイントに対応するレベル値を取得するために回路基板上のアナログ/デジタルサンプリングポイントのレベルを検出し、そこでは、回路基板上のアナログ/デジタルサンプリングポイントのそれぞれの接合点がモバイル端末の後部カバー上の対応する接触点を介して接続されているとき、レベル値が高レベル1であり、回路基板上のアナログ/デジタルサンプリングポイントのそれぞれの接合点がモバイル端末の後部カバー上の対応する接触点を介して接続されていないとき、レベル値が低レベル0であり、さらに
回路基板上のサンプリングポイントのレベル値の組合せを、検出によって取得されたレベル値に従って取得するように構成される。
【００８４】
または、代替方法として、検出器41は、
バッテリの仕様表示パラメータを決定し、
バッテリの仕様パラメータを、決定された仕様表示パラメータ、およびあらかじめ保存された仕様表示パラメータ表における仕様表示パラメータとバッテリ仕様パラメータとの対応関係に従って決定するようにさらに構成される。
【００８５】
仕様表示パラメータは、単位時間内のあらかじめ設定された電流下のバッテリの電圧昇圧の勾配、または特定の瞬間におけるバッテリの電圧値でありうる。
【００８６】
仕様表示パラメータが、単位時間内のあらかじめ設定された電流下のバッテリの電圧昇圧の勾配であるとき、電圧昇圧の勾配は、単位時間内のあらかじめ設定された電流下のバッテリの電圧昇圧を単位時間で割った数値に等しく、検出器41は、具体的には、
バッテリの仕様パラメータを、電圧昇圧の勾配、およびあらかじめ保存された電圧勾配間隔表における電圧昇圧の勾配とバッテリ仕様パラメータとの対応関係に従って決定し、そこでは、電圧勾配間隔表が、様々なバッテリ仕様パラメータに対応する電圧昇圧の勾配間隔を含むように構成される。
【００８７】
仕様表示パラメータが特定の瞬間におけるバッテリの電圧値であるとき、検出器41は、
バッテリの仕様パラメータを、電圧値、およびあらかじめ保存された電圧表における電圧値とバッテリ仕様パラメータとの対応関係に従って決定するように構成される。
【００８８】
実施形態において提供されるモバイル端末では、含まれているユニットおよびモジュールの分割部分は、機能論理に基づいていることに留意されたい。ただし、対応する機能が実装されうる限り、分割部分はそれに限定されない。さらに、機能ユニットおよび機能モジュールは、区別する目的だけのために名前が付けられており、その名前は、本発明の保護範囲を限定することは意図しない。
【００８９】
前述の方法の実施形態におけるステップのすべてまたは一部がハードウェアに命令するプログラムによって実施されうることは、当業者に理解できる。プログラムは、読出し専用メモリ、磁気ディスク、またはCD-ROMなどのコンピュータ可読記憶媒体に保存されうる。
【００９０】
前述の説明は、単に本発明の特定の実施形態に関するものであり、本発明の保護範囲を限定することは意図されない。本発明で開示される技術範囲内において当業者によって容易に理解される任意の相違または置換えは、本発明の保護範囲にすべて含まれるものとする。そこで、本発明の保護範囲は、特許請求の範囲に記載の保護範囲の対象であるものとする。
【符号の説明】
【００９１】
40  モバイル端末
41  検出器
42  決定器
43  充電器
44  メモリ
411  取得ユニット
412  決定ユニット
【図１Ａ】
0005713301.tif 000003
【図１Ｂ】
0005713301.tif 000004
【図１Ｃ】
0005713301.tif 000005
【図２】
0005713301.tif 000006
【図３】
0005713301.tif 000007
【図４Ａ】
0005713301.tif 000008
【図４Ｂ】
0005713301.tif 000009
【図４Ｃ】
0005713301.tif 000010